(57)【要約】【課題】同一溶融紡糸装置で多品種の合成繊維を製造において、ロール上での糸条の巻き付け回数を容易に変更可能とすることで、停機による生産機会の損失が少なく、且つ品質・製糸性の優れた合成繊維の製造装置を提供する。【解決手段】同一溶融紡糸装置で多品種の合成繊維を製造するに際し、前記複数段の引取および延伸ロールと、前記巻取機をそれぞれ任意の位置に移動させるため、検出したそれぞれの現在位置と記憶部に予め設定されている位置に基づき、それぞれを移動して保持させるようにそれぞれの駆動部に同時に指示する制御部を設けるとともに、更には各ロールから導き出された糸条の位置に応じて、前記複数段の引取および延伸ロールと、前記巻取機をそれぞれ移動して保持させるようにそれぞれの駆動部に同時に指示する制御部を設けたことを特徴とする合成繊維の製造装置。【選択図】図１
2019123947.tif 000002
【特許請求の範囲】
【請求項１】
溶融紡糸した合成繊維糸条を複数段の引取および延伸ロールで、多段に延伸・熱処理し、巻取機を用いて連続して合成繊維糸条を巻き取る合成繊維の製造装置において、前記複数段の引取および延伸ロールと、前記巻取機をロール回転軸方向の任意の位置に移動かつ保持できることを特徴とする合成繊維の製造装置。
【請求項２】
前記複数段の引取および延伸ロールをロール回転軸方向に移動かつ保持できる駆動部と、該複数段の引取および延伸ロールの位置を検出する検出部と、該複数段の引取および延伸ロールを任意の位置に移動させるため、予め設定した任意の位置を記憶する記憶部と、検出した該複数段の引取および延伸ロールの現在位置と記憶部に予め設定されている位置に基づき、該複数段の引取および延伸ロールを移動かつ保持させるように駆動部に指示する制御部とを設けたことを特徴とする請求項１に記載の合成繊維の製造装置。
【請求項３】
前記巻取機を複数段の引取および延伸ロールのロール回転軸方向に移動かつ保持できる駆動部と、該巻取機の位置を検出する検出部と、該巻取機を任意の位置に移動させるため、予め設定した任意の位置を記憶する記憶部と、検出した該巻取機の現在位置と記憶部に予め設定されている位置に基づき、該巻取機を移動かつ保持させるように駆動部に指示する制御部とを設けたことを特徴とする請求項１または２に記載の合成繊維の製造装置。
【請求項４】
前記複数段の引取および延伸ロールと、前記巻取機をそれぞれ任意の位置に移動させるため、検出したそれぞれの現在位置と記憶部に予め設定されている位置に基づき、それぞれを移動して保持させるようにそれぞれの駆動部に同時に指示する制御部を設けたことを特徴とする請求項１から３のいずれか１項に記載の合成繊維の製造装置。
【請求項５】
前記複数段の引取および延伸ロールにおいて、各ロールから導き出された糸条の位置を検出する検出部を備え、検出した糸条の現在位置と記憶部に予め設定されている位置に基づき、それぞれを移動して保持させるようにそれぞれの駆動部に同時に指示する制御部を設けたことを特徴とする請求項１から４のいずれか１項に記載の合成繊維の製造装置。
【発明の詳細な説明】
【技術分野】
【０００１】
本発明は、合成繊維の製造装置に関するものであり、更に詳しくは同一溶融紡糸装置で多品種の合成繊維を製造するに際し、様々な品種において良好な品質・製糸性が得られるとともに品種切り替え作業の労力低減・時間短縮を図り生産損失を減らすことができるものである。
【背景技術】
【０００２】
ポリアミドやポリエステル等に代表される合成繊維、中でも衣料用合成繊維の製造においては、一般的に紡糸された糸条を複数のロールを用いて引取・延伸するとともに、それらロールの一部を加熱することで、ロール上で糸条の熱処理を実施し巻取機にて延伸・熱処理された糸条を巻き取ることで製造している。
【０００３】
特にこの製造工程の中でも、熱処理工程は糸条を加熱し糸条内部の結晶構造をコントロールすることで、原糸の強度や熱収縮率等の得られる合成繊維の物性に大きな影響を与える。また、製糸性の観点では、必要以上の加熱を行うとポリマーの熱劣化や、平滑性や帯電防止性を付与する目的で糸条に付着している油剤成分の蒸発を引き起こし、糸切れなどの製糸性の悪化を招くため、各品種に合わせて適切な熱処理を実施することが重要となっている。
【０００４】
次に、ロールによる糸条の熱処理について説明する。熱処理のためロール上で糸条を加熱する場合、熱処理に影響を与える因子としては、ロールの加熱温度と、ロールと糸条の接触長さにもとづいたロール上での糸条の熱処理時間の２つの因子がある。糸条の熱処理を積極的に行うには、前者については、ロールの加熱温度が使用するポリマーの融点を超えると、糸条のロールへの融着・糸切れを引き起こすことと、前述記載の通り付着している油剤成分の蒸発を引き起こすため、加熱温度の上限はポリマー種や付着油剤によって制限を受ける。また、ポリアミド繊維などはポリエステル繊維にくらべ比熱が高く、糸条温度が上がりにくいため、よりいっそう熱処理に必要な加熱量が増加する。そのため、熱処理においては加熱温度よりも熱処理時間、すなわち接触長さの適性化を図ることが物性および製糸性の面でより効果的である。
【０００５】
続いて、熱処理を行うロールの構成について説明する。引取・延伸および熱処理を行うロールについては、２本のロールを対とし２本のロールの回転軸を完全な平行から微小角ずらすことで、２本のロールの異なる位置に糸条を複数回巻き付け可能とするネルソン方式が採用される場合が多い。このネルソン方式は、ロール上に糸条を複数回巻き付けるため、ロールと糸条の接触長さを長くとることができ、ロール上での糸条の熱処理時間を比較的長くすることが可能となる。
【０００６】
このネルソン方式で糸道を構成する場合、２本のロールの配置と回転軸角度によってある一定の巻き付け回数を構成することができる。しかし、一度構成した巻き付け回数を変更する場合に、ロールの回転軸角度を変更することで、僅かではあるが巻き付け回数を可変できるが、大幅に変更するためにはロール配置と回転軸角度の変更すなわち設備改造が必要であった。また、回転軸角度の変更による巻き付け回数をある程度変更しても、ロール上で糸条の出入り幅が変わるため、各ロール間の糸条ガイドによる糸道の屈曲が生じ、糸条走行が不安定になったり、例えばロール間に設置している糸条ガイドでの屈曲による糸条への接触ダメージが引き起こされ、毛羽発生、強度低下等を引き起こす。更には、ロール間に設置されている他の装置に糸道が接触するなどして糸道自体を構成できない場合もある。
【０００７】
このようなネルソン方式における巻き付け回数の変更や糸道ガイドによる糸道の変更に関する従来技術としては、例えば特許文献１には、円錐状に旋回するセパレーターロールを設け、延伸ロール上の糸条を延伸ロール回転軸方向にトラバースさせることを特徴とする合成繊維の紡糸直接延伸方法が開示されている。そしてその効果はロール上の糸条をロール回転軸方向にトラバースさせることで、長時間運転によりロール上に蓄積する汚れおよびロールの磨耗によって発生する品質及び生産性の低下を抑制するとされている。
【０００８】
また、特許文献２には、ロール間に糸条の走行位置を規制する糸道ガイドが配置され、該糸道ガイドをロールの回転軸方向に往復移動させる手段を備えていることを特徴とする紡糸巻き取り方法が開示されている。そして、その効果は特許文献１と同様にロールの汚れと摩耗防止による品質および生産性の低下を抑制できるとされている。
【先行技術文献】
【特許文献】
【０００９】
【特許文献１】特開２００６−２７４４７５号公報
【特許文献２】特開平８−１７０２１５号公報
【発明の概要】
【発明が解決しようとする課題】
【００１０】
しかしながら、上記特許文献１の提案では、糸道の変更はできるものの、熱処理適性化に向けた巻き付け回数の大幅な可変は困難であることと、セパレーターロールの旋廻によるトラバースによって発生する糸道屈曲の抑制に関しては、何ら検討も示唆もなされていない。
【００１１】
また、上記特許文献２の提案のように、糸道ガイドによって巻き付け回数を変更するには、大幅な糸道ガイドの移動が必要であり、その糸道の移動量に伴い屈曲程度も増加することから熱処理適性化に向けた巻き付け回数の大幅な変更は困難であることと、糸道ガイドの移動によって発生する糸道の屈曲の抑制に関しては、何ら検討も示唆もなされていないのが実情である。
【００１２】
これらのことから、接触長さにもとづく熱処理適性化と糸道屈曲の抑制は溶融紡糸のなかでも、製糸性や品質に与える影響が大きいことから、各品種に合わせてそれぞれの条件を適正化することが求められてきた。
【００１３】
また、その条件についても品種の高度化が進むにつれ、個々の品種に最適な微妙な条件変更が必要になるため、条件変更の微調整を可能にすることが求められていた。
【００１４】
加えて、ネルソン方式による糸道では、２本のロールの回転軸に角度がついていることから、ロール表面上で傾斜が発生する。その傾斜により糸条がロール回転軸方向にスリップするため、互いのロール位置や回転軸角度から理論的に計算される糸道とはずれが生じる。しかし、それらロールを配置する場合、それぞれ複数あるロールは理論的に計算される糸道をもとに配置するため、理論的な糸道と実際の糸道はずれが生じ、そのずれによってロール間での糸道に屈曲が生じる。また、このスリップによるずれは、品種の繊度、単糸数、表面形態によって摩擦係数が異なることから、品種によって常に変動したずれ・屈曲が発生することとなる。糸道の屈曲は前述の通り糸条へのダメージを引き起こすことから、各品種に合わせて屈曲を無くすように糸道の微調整を実施することが製糸性の観点において重要となっていた。
【００１５】
したがって、従来技術においては、品種切り替えを実施する場合、熱処理適性化に向けた巻き付け回数の変更と糸道屈曲の抑制に向けた糸道調整の実施は、大幅な設備改造を伴うため、実施することは困難であった。また、仮に設備改造を実施するとしても、作業には多くの時間や労力を要するうえ、作業を行っている間は生産ができず、生産機会損失（原料ロス・生産機会減少による損失）の発生を余儀なくされていた。
【００１６】
本発明は、上記問題を解決するものであり、複雑な設備改造を伴わずに、各品種に合わせて引取および延伸ロールと巻取機の位置を容易に変更し、且つ変更位置の微調整を可能とすることで、ロール上での糸条の巻き付け回数を大幅に可変可能とし、更にはロール間の糸道に合わせ屈曲のない糸道を構成することにより、糸条ガイド等への接触ダメージの低減化を図ることで、様々な品種において良好な品質・製糸性を得られるとともに、品種切り替え作業の労力低減・時間短縮を図り生産機会の損失を減らすことができる製造装置を提供することにある。
【００１７】
さらに詳しくは、単糸繊度の太細、単糸数の多少、紡糸温度の高低、引取速度の遅速、ポリマー粘度の高低、共重合の有無、添加剤の多少等の紡糸条件やポリマーの基本特性が変更されても、これらの要因に影響を受けることのない適正な巻き付け回数や糸道構成を簡単且つ調整可能な可変機構を有することで、良好な品質・製糸性が得られるのみならず、多品種を生産する際に増加する品種切り替え作業を、予め設定した条件に基づき、自動的に引取および延伸ロール・巻取機位置を変更することで、作業にかかる労力や時間をほぼなくすことができる合成繊維の製造装置に関するものである。
【課題を解決するための手段】
【００１８】
本発明の上記目的は、溶融紡糸した合成繊維糸条を複数段の引取および延伸ロールで、多段に延伸・熱処理し、巻取機を用いて連続して合成繊維糸条を巻き取る合成繊維の製造装置において、前記複数段の引取および延伸ロールと、前記巻取機をそれぞれ任意の位置に移動させるため、検出したそれぞれの現在位置と記憶部に予め設定されている位置に基づき、それぞれを移動して保持させるようにそれぞれの駆動部に同時に指示する制御部を設けるとともに、更には各ロールから導き出された糸条の位置に応じて、前記複数段の引取および延伸ロールと、前記巻取機をそれぞれ移動して保持させるようにそれぞれの駆動部に同時に指示する制御部を設けた合成繊維の製造装置により達成できる。
【発明の効果】
【００１９】
本発明の合成繊維の製造装置によれば、同一溶融紡糸装置で多品種の合成繊維を製造するに際し、糸道に屈曲がなくロール上での糸条の巻き付け回数を変更することで、様々な品種において良好な品質・製糸性を得られ、且つ品種切り替え作業の労力低減・時間短縮を図り生産機会の損失を減らすことが可能となる。
【図面の簡単な説明】
【００２０】
【図１】本発明の合成繊維の製造装置の一実施態様を示す概略斜視図である。
【図２（ａ）】
【図２（ｂ）】
【図２（ｃ）】図２（ａ）〜（ｃ）は、本発明のロール位置可変装置および巻取機位置可変装置を用いて巻き付け回数を変更する方法の一実施態様を示す概略斜視図である。
【図３】本発明のロール位置可変装置および巻取機位置可変装置の駆動および制御方法の一実施態様を示す概略工程図である。
【図４】本発明のロール位置可変装置構成の一実施態様を示す概略斜視図である。
【図５】本発明の巻取機位置可変装置構成の一実施態様を示す概略斜視図である。
【発明を実施するための形態】
【００２１】
次に本発明の詳細について説明する。
【００２２】
図１は、本発明の合成繊維の製造装置の一実施態様を示す概略斜視図である。
【００２３】
図１において本発明の合成繊維の製造装置は、第１ロール（上）１ａ、第１ロール（下）１ｂ、第１ロールユニット２、第１ロールユニット位置可変装置３、第２ロール（上）４ａ、第２ロール（下）４ｂ、第２ロールユニット５、第２ロールユニット位置可変装置６、糸条位置センサー７、糸道ガイド８、巻取機９および巻取機位置可変装置１０を備えている。また、Ｙは溶融紡糸された糸条を示している。
【００２４】
本発明の装置は、溶融紡糸された糸条Ｙを、第１ロール（上）１ａおよび第１ロール（下）１ｂにて、ネルソン方式で複数回糸条を巻き付けながら引き取り、加熱された第２ロール（上）４ａと第２ロール（下）４ｂにてネルソン方式で複数回糸条を巻き付けながら延伸・熱処理し、導き出された糸条を巻取機９にて連続して巻き取る装置において、第１ロールユニット２、第２ロールユニット５および巻取機９をロール回転軸方向にスライドさせる第１ロールユニット位置可変装置３、第２ロールユニット位置可変装置６および巻取機位置可変装置１０を設け、ロール巻き付け回数の変更や糸道ガイド８に対して糸条Ｙの接触が最も少ないロール軸回転軸に垂直となる糸道、すなわち屈曲の無い糸道を調整できるようにしたものである。
【００２５】
さらに本発明の合成繊維の製造装置は各ロールから導出された糸条位置を検出できる糸条位置センサー７を設けている。この糸条位置センサー７によってそれぞれのロールから導出された糸条がロール回転軸に垂直となる屈曲の無い糸道となっているかを検出することが可能となる。
【００２６】
図２（ａ）〜（ｃ）は、本発明のロール位置可変装置および巻取機位置可変装置を用いて巻き付け回数および糸道を変更する方法の一実施態様を示す概略斜視図である。
【００２７】
図２において、第１、第２ロールへの巻き付け回数を仮に４回（図２（ａ））から２回（図２（ｂ））にする場合、図２（ｂ）に示すとおり第２ロールユニット位置可変装置６を用いて、第２ロールユニット５をロール回転軸方向に後退させる。この際、後退させる位置は、第１ロールユニット２の２回目の巻き付け位置から導き出された糸条が、ロール回転軸方向に垂直となるような屈曲の無い糸道を構成できる巻き付け位置に後退させる。また、同様に巻取機位置可変装置１０を用いて、巻取機９をロール回転軸方向に後退させる。この際、後退させる位置は、第２ロールユニット２の２回目の巻き付け位置から導き出された糸条が、ロール回転軸方向に垂直となるように、すなわち屈曲の無い糸道を構成できる巻取位置に後退させる。このように、第２ロールユニット５および巻取機９の位置をそれぞれ可変することで、巻き付け回数を変更しつつ、屈曲の無い糸道を容易に変更することが可能となる。また、仮に巻き付け回数を４回（図２（ａ））から１回（図２（ｃ））に変更する場合も、図２（ｃ）で示すとおり、第２ロールユニット５と巻取機９をロール回転軸方向に更に後退させることで、同様に巻き付け回数を４回から１回へ変更することが可能となる。
【００２８】
このように本発明のロール位置可変装置６および巻取機位置可変装置１０を用いることで、各ロールへの巻き付け回数の増減を自由に変更し、且つ屈曲の無い糸道を構成することができる。巻き付け回数の可変範囲については、例えば１〜１０回の範囲で可変可能であり、いずれの巻き付け回数に変更しても、各ロールから導き出された糸条は屈曲されること無く巻取機９まで導くことが可能である。
続いて、本発明の特徴であるロール位置可変装置および巻取機位置可変装置の駆動および制御方法について説明する。
【００２９】
図３は、ロール位置可変装置および巻取機位置可変装置の駆動および制御方法の一実施態様を示す概略工程図である。
【００３０】
図３において、本発明の合成繊維の製造装置は、記憶部（ロール位置可変装置）１１、制御部（ロール位置可変装置）１２、駆動部（ロール位置可変装置）１３、検出部（ロール位置可変装置）１４、共通制御部１５、記憶部（巻取機位置可変装置）１６、制御部（巻取機位置可変装置）１７、駆動部（巻取機位置可変装置）１８および検出部（巻取機位置可変装置）１９を備えている。
【００３１】
本発明のロール位置可変装置とは、ネルソン方式で構成されるそれぞれ複数段の引取および延伸ロールの位置を、ロール回転軸方向に予め設定された条件位置と検出した現状位置に基づき、連動制御させながら自動的に任意に可変する装置である。
【００３２】
まず、ロール位置を可変する手段について一例を挙げると、ネルソン方式の２対のロールをボックスに組み込むことでユニット化し、電動シリンダーを有したスライドレールに、前記のロールユニットを係合させ電動シリンダーを駆動させることで、ロール位置を可変可能にしたものがある。また一例を挙げたもの以外でも可変する手段として、駆動源としてサーボモータとボールネジを用いる方法や、ラックと電動モータによって回転駆動するピニオンギアを用いる方法などでもよい。したがって、上記の一例であげたものに限定されるものではない。
【００３３】
また、駆動制御としては、予め記憶部（ロール位置可変装置）１１には各品種に合わせて最適なロール巻き付け回数や屈曲の無い糸道を構成できるロール位置を記録しておき、電動シリンダーやスライドレールを取り付けられたセンサー等を利用した現状の位置を検出する検出部（ロール位置可変装置）１４を設け、記憶されている最適位置と検出した現状の位置をもとに、最適位置までロール位置をコントロールする制御部（ロール位置可変装置）１２を設けている。このようにして、現状の位置を正確に検出し、それに基づき駆動部（ロール位置可変装置）１３をコントロールすることで、ロール位置の微調整および自動的な可変を行う。
【００３４】
次に巻取機位置可変装置の可変機構および駆動制御について説明する。巻取機位置を可変する手段について一例をあげると、ロール位置可変装置と同様に、電動シリンダーを有したスライドレールに、巻取機を係合させ電動シリンダーを駆動させることで、巻取機位置を可変可能にしたものがある。また一例を挙げたもの以外でも可変する手段として、駆動源としてサーボモータとボールネジを用いる方法や、ラックと電動モータによって回転駆動するピニオンギアを用いる方法などでもよい。したがって、上記の一例であげたものに限定されるものではない。
【００３５】
また、駆動制御としては、ロール位置可変装置と同様に、予め記憶部１６（巻取機位置可変装置）には各品種に合わせて屈曲の無い糸道を構成できる巻取機位置を記録しておき、電動シリンダーやスライドレールを取り付けられたセンサー等を利用した現状の位置を検出する検出部（巻取機位置可変装置）１９を設け、記憶されている最適位置と検出した現状の位置をもとに、最適位置まで巻取機をコントロールする制御部（巻取機位置可変装置）１７を設けている。このようにして、現状の位置を正確に検出し、それに基づき駆動部（巻取位置可変装置）１８をコントロールすることで、巻取機位置の微調整および自動的な可変を行う。
【００３６】
さらに、上記のロール位置可変装置および巻取機位置可変装置を連動して移動させるための共通制御部１５を設けている。加えて、共通制御部１５には、糸条位置センサー７から検出された糸条位置情報に従い、それぞれのロール位置および巻取機位置を微調整することが可能となっている。このように実際の生産時に各ロールから導出される糸条位置を直接検出することで、理論的な糸道と各品種によって異なるスリップによる糸道のずれを把握し、より精度の高い屈曲の無い糸道を構成することが可能となる。この糸条位置センサー７には、レーザー変位計を用いてセンサーと糸条間の距離をもとに糸条の屈曲角度を求める方法や、高精度カメラを用いて糸条の動画を撮影し、撮影した動画情報をもとに糸条の屈曲角度を計算する方法などが挙げられるが、上記の一例であげたものに限定されるものではない。
【００３７】
このようなロール位置と巻取機位置を連動制御することで、大幅な設備改造を伴うこと無く、熱処理適性化に向けた巻き付け回数の変更と糸道屈曲の抑制に向けた糸道調整の実施が可能となり、また、記憶部１１、１５に入力されている各品種の条件に合わせて一括で自動的にロール位置と巻取機位置が変更されるため、作業に人手や労力を要さない。更には品種切り替え作業に伴った生産運転を停止させることなく、生産損失（原料ロス・生産機会減少による損失）を低減することが可能となる。
次に、本発明の特徴であるロール位置可変装置および巻取機位置可変装置の構成について詳細を説明する。
【００３８】
図４は、本発明のロール位置可変装置構成の一実施態様を示す概略斜視図である。
【００３９】
図４において、本発明のロール位置可変装置は、ロールユニット２０、ベースプレート（ロールユニット）２１、ベースプレート（ロール位置可変装置）２２、スライドレール２３（ロール位置可変装置）および電動シリンダー２４（ロール位置可変装置）を備えている。
【００４０】
ロール位置可変装置の構成としては、ネルソン方式の２対のロールをボックスに組み込むことでロールユニット２０を構成すると共にベースプレート（ロールユニット）２１に固定されている。ベースプレート（ロールユニット）２１下部のスライダー用のベースプレート（ロール位置可変装置）２２は電動シリンダー２４と係合されている。続いて、ロール位置可変装置のベースプレート（ロール位置可変装置）２２の上部に２本のスライドレール（ロール位置可変装置）２３が配置されている。このスライドレール（ロール位置可変装置）２３を介して、ロールユニット２０のベースプレート（ロールユニット）２１が係合されているため、ロールユニット２０はスライドレール（ロール位置可変装置）２３上をロール軸回転方向に自由に往復することが可能となる。また、電動シリンダー（ロール位置可変装置）２４を駆動することで、ロールユニット２０を自動的に駆動させることが可能となる。このロール位置可変装置のロール軸回転方向へのスライド量範囲は、ロールの長さと同じ距離をスライドできるようにする必要があり、一般的なロールの最大長さは５００ｍｍ程度なので、スライド量範囲は０〜５００ｍｍの範囲で可変とすることが好ましい。
【００４１】
図５は、本発明の巻取機位置可変装置構成の一実施態様を示す概略斜視図である。
【００４２】
図５において、本発明の巻取機位置可変装置は、ベースプレート（巻取機位置可変装置）２５、スライドレール（巻取機位置可変装置）２６および電動シリンダー（巻取機位置可変装置）２７を備えている。
【００４３】
巻取機位置可変装置の構成としては、巻取機９下部のスライダー用のベースプレート（巻取位置可変装置）２５に電動シリンダー２７が係合されている。続いて、巻取機位置可変装置のベースプレート（巻取位置可変装置）２５には、上部に２本のスライドレール（巻取位置可変装置）２６が配置されている。このスライドレール（巻取位置可変装置）２６を介して、巻取機９が係合されているため、巻取機９はスライドレール（巻取位置可変装置）２６上をロール軸回転方向に自由に往復することが可能となる。また、電動シリンダー（巻取位置可変装置）２７を駆動することで、巻取機９を自動的に駆動させることが可能となる。この巻取機位置可変装置のロール軸回転方向へのスライド量範囲は、第１ロール、第２ロールそれぞれの最大長が５００ｍｍ程度であることから合算して０〜１０００ｍｍの範囲である。
【００４４】
このようなロール位置と巻取機位置を可変可能かつ連動制御させることで、大幅な設備改造を伴うこと無く、熱処理適性化に向けた巻き付け回数の変更と糸道屈曲の抑制に向けた糸道調整の実施が可能となり、各品種の条件に合わせて一括で自動的にロール位置と巻取機位置を変更できるため、作業に関する人手や労力をほぼ無くすことができる。これにより品種切り替え作業に伴った生産運転を停止させることなく、生産損失（原料ロス・生産機会減少による損失）を低減することが可能となる。
【００４５】
さらには、ポリマー種、ポリマー粘度、総繊度、単糸繊度、フィラメント数など、品種高度化に伴う製糸条件変更の微調整が容易に実施することができる。
【００４６】
総繊度であれば、熱処理や糸道屈曲の影響を受けやすい細繊度品種についても延伸糸換算で６デシテックス〜４０デシテックスの範囲で好ましく製造できる。
【００４７】
本発明で製造し得る合成繊維は、ポリアミドやポリエステルなどの溶融紡糸可能な合成繊維であれば、特に、限定されるものではない。また、例えば、ホモポリマー、共重合ポリマー、顔料、染料、艶消し剤、防汚剤、蛍光増白剤、難燃剤、安定剤、紫外線吸収剤、滑剤等を含んでいてもよい。
【００４８】
また、本発明で用いられる合成繊維は、単成分紡糸でも、複合紡糸でもよく、複数成分紡糸の場合には、例えば、芯鞘、サイドバイサイド、海島複合、混繊等の構成が挙げられる。また繊維の断面形状は、丸、三角、扁平等の異形状や中空であってもよい。
本発明において対象とする合成繊維、単繊維繊度、フィラメント数は、目的に応じて適宜選択することが可能である。
【実施例】
【００４９】
以下、実施例を挙げて本発明をさらに具体的に説明する。なお実施例における特性値の測定法等は次のとおりである。
【００５０】
（１）毛羽数：図１に示す第２ロール（下）４ｂと巻取機９間にレーザー式毛羽検知器を設置し、糸長１万ｋｍ当たりの毛羽数を測定した。
【００５１】
（２）糸切れ回数：巻取機９で巻き取った合成繊維１トン当たりの糸切れ回数を測定した。
【００５２】
［実施例１］
ナイロン６チップを溶融し、１糸条あたり単糸５本の糸を口金から８糸条（糸条Ｙ）同時に紡糸した後、吐出糸条に冷風を吹き付けて冷却固化させ、給油ガイドで紡糸油剤を付与した(図１には図示せず)。その後、図１に示す第１ネルソンロールユニット位置可変装置３において、ロール径２２０ｍｍ、ロール温度５０℃、巻き付け数５回で引き取り、第２ネルソンロールユニット可変装置６において、ロール径２２０ｍｍ、ロール温度１７０℃、巻き付け数５回で、２．７倍延伸し、巻取機位置可変装置１０の巻取機で連続的に巻き取り、基準繊度４０ｄｔｅｘ、５フィラメントのナイロン６マルチフィラメントを得た。このとき第１ロール（下）１ｂ−第２ロール（上）４ａ間および第２ロール（下）４ｂ−糸条位置センサー７間に糸道の屈曲を生じさせることなく、第２ロールユニット位置可変装置６、巻取機位置可変装置１０の位置を設定し、この位置を基準位置とした。得られた糸の毛羽数は、１．１個／１万ｋｍ、糸切れ回数は、０．２回／ｔｏｎと良好であった。
【００５３】
次に第１ネルソンロールユニット位置可変装置３において、巻き付け回数１０回で引き取り、第２ネルソンロールユニット可変装置６において、巻き付け回数１０回となるように、上記基準位置に対して第２ロールユニット位置可変装置６をロール先端側に向かって２５０ｍｍ、巻取機位置可変装置１０を５００ｍｍスライドさせたこと以外、上記と同様の方法で基準繊度４０ｄｔｅｘ、５フィラメントのナイロン６マルチフィラメントを得た。上記スライド量は、事前に第１ロール（下）１ｂ−第２ロール（上）４ａ間および第２ロール（下）４ｂ−糸条位置センサー７間に糸道の屈曲がないことを確認して設定した。得られた糸の毛羽数は、１．３個／１万ｋｍ、糸切れ回数は、０．３回／ｔｏｎと良好であった。
【００５４】
前記したように、本発明の合成繊維の製造装置を用いることで、品種に最適な巻き付け回数を容易に変更できる。また糸道を屈曲させること無く構成することができ、かつ糸道に糸道ガイドがないので毛羽が少なく製糸性が良好で、品種に最適な巻き付け回数が採用できるので良好な糸品質の糸条を得ることができる。
【産業上の利用可能性】
【００５５】
本発明の合成繊維の製造装置は、同一溶融紡糸装置で多品種の合成繊維を製造するに際し、様々な品種において良好な品質の繊維を製糸性良く得られるとともに、品種切り替え作業の労力低減・時間短縮を図るとともに生産機会の損失を減らすことができるので合成繊維の製造において好適に利用できる。
【符号の説明】
【００５６】
１ａ：第１ロール（上）
１ｂ：第１ロール（下）
２：第１ロールユニット
３：第１ロールユニット位置可変装置
４ａ：第２ロール（上）
４ｂ：第２ロール（下）
５：第２ロールユニット
６：第２ロールユニット位置可変装置
７：糸条位置センサー
８：糸道ガイド
９：巻取機
１０：巻取機位置可変装置
１１：記憶部（ロール位置可変装置）
１２：制御部（ロール位置可変装置）
１３：駆動部（ロール位置可変装置）
１４：検出部（ロール位置可変装置）
１５：共通制御部
１６：記憶部（巻取機位置可変装置）
１７：制御部（巻取機位置可変装置）
１８：駆動部（巻取機位置可変装置）
１９：検出部（巻取機位置可変装置）
２０：ロールユニット
２１：ベースプレート（ロールユニット）
２２：ベースプレート（ロール位置可変装置）
２３：スライドレール（ロール位置可変装置）
２４：電動シリンダー（ロール位置可変装置）
２５：ベースプレート（巻取機位置可変装置）
２６：スライドレール（巻取機位置可変装置）
２７：電動シリンダー（巻取機位置可変装置）
Ｙ：糸条
【図１】
2019123947.tif 000003
【図２（ａ）】
2019123947.tif 000004
【図２（ｂ）】
2019123947.tif 000005
【図２（ｃ）】
2019123947.tif 000006
【図３】
2019123947.tif 000007
【図４】
2019123947.tif 000008
【図５】
2019123947.tif 000009